(57)【要約】【課題】軒の出が無い構造のケラバであっても、簡単な構造で妻壁通気層内の湿気を排出すると共に十分な耐荷重を得ること。【解決手段】柱１１と、柱１１間に水平方向に設けられた母屋１２と、母屋１２の上に配置された垂木１３と、柱１１に沿って設けられた内壁２０と、内壁２０に対し外側に隙間Ｄをあけて配置された外壁２１と、垂木１３上に設けられ、外壁２１の上端にその下面を突き当てて配置された野地板３０と、外壁２１の上端と野地板３０を挟んで配置された登り淀１４と、垂木１３のうち内壁２０側に設けられ垂木１３と野地板３０との間に配置され、隙間Ｄと野地板３０下側の小屋裏Ｋとを連通する空気通流部材５０と、空気通流部材５０の上部に一体に設けられ、野地板３０の下面３０ａから隙間Ｄの上側まで延設され、下方に折り曲げられた上板５１とを備えている。【選択図】図１
2015155635.tif 000002
【特許請求の範囲】
【請求項１】
鉛直方向に立設された複数の柱と、
これら複数の柱間に水平方向に設けられた母屋と、
この母屋の上に水平方向に間隔を形成して配置された複数の垂木と、
前記複数の柱のうちいずれかの柱に沿って設けられた内壁と、
この内壁に対し外側に隙間をあけて配置された外壁と、
前記複数の垂木上に設けられ、前記外壁の上端に配置された野地板と、
この野地板上に設けられた屋根材と、
前記複数の垂木のうち前記内壁側に設けられ垂木と前記野地板との間に配置され、前記隙間と前記野地板下側の空間とを連通する空気通流部材とを備えていることを特徴とする通気構造。
【請求項２】
前記空気通流部材の上部に設けられ、前記野地板の下面から前記隙間の上側まで延設され、下方に折り曲げられた板材を備えていることを特徴とする請求項１に記載の通気構造。
【請求項３】
鉛直方向に立設された柱と、
前記柱に沿って設けられた内壁と、
この内壁に対し外側に隙間を形成して配置された外壁と、
この柱の上部に配置された垂木と、
この垂木の上部に配置された笠木と、
この笠木から前記垂木を基準として前記外壁の外側まで延出されると共に、前記隙間と外部との通気路を形成する延出部と、
前記柱と前記垂木との間に配置され、前記隙間と前記柱間とを連通する空気通流部材とを備えていることを特徴とする通気構造。
【請求項４】
前記空気流通部材の上部に設けられ、前記垂木の下面から前記隙間の上側まで延設され、下方に折り曲げられた板材とを備えていることを特徴とする請求項３に記載の通気構造。
【請求項５】
鉛直方向に立設された複数の柱と、
これら複数の柱間に水平方向に設けられた母屋と、
この母屋の上に水平方向に間隔を形成して配置された複数の垂木と、
前記複数の垂木上に設けられた野地板と、
この野地板上に設けられた屋根材と、
前記複数の垂木と前記野地板との間に設けられ、隣接する前記野地板下側の空間同士を連通する空気通流部材とを備えていることを特徴とする通気構造。
【発明の詳細な説明】
【技術分野】
【０００１】
本発明は、建物内の空気流通を確保する通気構造に関する。
【背景技術】
【０００２】
家屋のケラバ等の外壁において、雨水等は壁内に浸入させず、かつ、壁内の湿気を排出させる空気流通換気部材を配置させた壁構造が採用されつつある（例えば、特許文献１参照。）。
【０００３】
図１１は、軒の出が有る構造のケラバの場合を示す説明図である。図１１中１０１は柱、１０２は母屋、１０３は垂木、１０４は野地板、１０５は登り淀、１０６は屋根材、１０７は水切部材を示している。また、柱１０１には、合板１１１が取り付けられ、さらに図中奥行き方向に所定の間隔で配置された細板状の通気胴縁１１３により、妻壁通気層Ｄが形成されている。なお、参照符号１１２は妻壁を示している。通気層の上端は通気見切り部材を通って外部につながっている。軒の出があるため、雨水は通気見切り部材から通気層に浸入することなく、壁内の湿気は通気見切り部材から排湿できる。なお、Ｋは小屋裏、Ｆは空気の通流方向を示している。
【０００４】
一方、近年、図１２に示すように、軒の出が無い構造のケラバも用いられている。図１２中２０１は柱、２０２は母屋、２０３は垂木、２０４は野地板、２０５は登り淀、２０６は屋根材、２０７は水切部材を示している。また、柱２０１には、合板２１１が取り付けられ、さらに図中奥行き方向に所定の間隔で配置された細板状の通気胴縁２１３を介して妻壁２１２が取り付けられている。この通気胴縁２１３により、妻壁通気層Ｄが形成されている。なお、Ｋは小屋裏を示している。
【先行技術文献】
【特許文献】
【０００５】
【特許文献１】特開２００２−０９７７６６号公報
【発明の概要】
【発明が解決しようとする課題】
【０００６】
上述した通気構造では、次のような問題があった。すなわち、軒の出が有る構造のケラバの場合、妻壁通気層１１３の上端は、外部に通じている。このため、妻壁通気層１１３内の湿気は外部に排出される。これに対し、軒の出が無いケラバでは、雨水の浸入を防ぐために、水切り部材２０７の下端部と外壁との間にコーキング材が形成されている。そのため、妻壁通気層２１３はコーキング材２０８と野地板２０４、合板２１１に囲まれて塞がれている。このため、妻壁通気層Ｄ内の湿気は逃げ場が無く、妻壁通気層Ｄ内で結露が生ずることがあった。
【０００７】
そこで本発明は、軒の出がない構造のケラバ部のような閉ざされた空間であっても、簡単な構造で湿気を排出することができる通気構造を提供することを目的としている。
【課題を解決するための手段】
【０００８】
前記課題を解決し目的を達成するために、本発明の通気構造は次のように構成されている。
【０００９】
鉛直方向に立設された複数の柱と、これら複数の柱間に水平方向に設けられた母屋と、この母屋の上に水平方向に間隔を形成して配置された複数の垂木と、前記複数の柱のうちいずれかの柱に沿って設けられた内壁と、この内壁に対し外側に隙間をあけて配置された外壁と、これら複数の垂木上に設けられ、前記外壁の上端に配置された野地板と、この野地板上に設けられた屋根材と、前記外壁の上端と前記野地板を挟んで配置された登り淀と、前記複数の垂木のうち前記内壁側に設けられ垂木と前記野地板との間に配置され、前記隙間と前記野地板下側の空間とを連通する空気通流部材と、この空気通流部材の上部に一体に設けられ、前記野地板の下面から前記隙間の上側まで延設され、下方に折り曲げられた板材とを備えていることを特徴とする。
【００１０】
鉛直方向に立設された柱と、前記柱に沿って設けられた内壁と、この内壁に対し外側に隙間を形成して配置された外壁と、この柱の上部に配置された垂木と、この垂木の上部に配置された笠木と、この笠木から前記垂木を基準として前記外壁の外側まで延出されると共に、前記隙間と外部との通気路を形成する延出部と、前記柱と前記垂木との間に配置され、前記隙間と前記柱間とを連通する空気通流部材と、この空気通流部材の上部に一体に設けられ、前記垂木の下面から前記隙間の上側まで延設され、下方に折り曲げられた板材とを備えていることを特徴とする。
【発明の効果】
【００１１】
本発明によれば、軒の出が無い構造のケラバ部であっても、簡単な構造で湿気を排出することができる。
【図面の簡単な説明】
【００１２】
【図１】本発明の第１の実施の形態に係る通気構造を示す縦断面図。
【図２】同通気構造の要部を示す縦断面図。
【図３】同通気構造に設けられた空気流通部材を示す斜視図。
【図４】同通気構造に設けられた別の空気流通部材を示す斜視図。
【図５】同通気構造に設けられた別の空気流通部材を示す斜視図。
【図６】同通気構造の変形例に係る通気構造の要部を示す縦断面図。
【図７】同通気構造に設けられた別の空気流通部材を示す斜視図。
【図８】本発明の第２の実施の形態に係る通気構造を示す縦断面図。
【図９】同通気構造の変形例を示す縦断面図。
【図１０】本発明の第３の実施の形態に係る通気構造を示す縦断面図。
【図１１】軒の出が有る構造のケラバの一例を示す説明図。
【図１２】軒の出が無い構造のケラバの一例を示す説明図。
【発明を実施するための形態】
【００１３】
図１は本発明の第１の実施の形態に係る通気構造１０を示す縦断面図、図２は通気構造１０の要部を示す縦断面図、図３は通気構造１０に設けられた空気流通部材５０を示す斜視図である。なお、図中Ｆは空気の通流方向を示している。
【００１４】
通気構造１０は、鉛直方向に立設された複数の柱１１と、これら複数の柱間に水平方向に設けられた母屋１２とで主要部が形成されている。母屋１２の上には、水平方向に間隔を形成して配置された複数の垂木１３が設けられている。
【００１５】
複数の柱１１のうち、最も外側の柱１１Ａに沿って合板等で形成された内壁２０が設けられ、さらにこの内壁２０に対し外側に隙間Ｄをあけて配置された外壁２１が設けられている。内壁２０と外壁２１との間には、鉛直方向に延びる細板状の通気胴縁２２が水平方向に間隔をあけて設けられ、隙間Ｄを維持している。なお、隙間Ｄは、妻壁通気層とも呼ばれる。
【００１６】
複数の垂木１３上には、野地板３０が水平方向に設けられている。野地板３０の下側の空間は、小屋裏Ｋと呼ばれている。
【００１７】
野地板３０の上面３０ｂであって、外壁２１の上端２１ａに対向する位置には、登り淀１４が設けられている。野地板３０上には、瓦等の屋根材４０が配置されている。屋根材４０と野地板３０との間には、水切り部材３１の基端部３１ａが設けられ、上述した登り淀１４を覆い、その先端部３１ｂが外壁２１の外側に位置するように設けられている。
【００１８】
複数の垂木のうち内壁２０側に設けられ、垂木１３と野地板３０との間に空気流通部材５０が配置されている。空気流通部材５０は、隙間Ｄと野地板３０下側の空間とを連通する機能を有している。空気流通部材５０は、軸方向を鉛直方向とした円錐台が複数設けられ、その隙間を空気が通流すると共に、上下方向の圧縮力に耐えられる。さらに、空気通流部材５０の上部に一体に、かつ、野地板３０の下面３０ａから隙間Ｄの上側まで延設され、下方に折り曲げられた上板（板材）５１と、空気通流部材５０の下部に一体に、かつ、通気胴縁２２まで延設された下板（板材）５２とが設けられている。なお、上板５１，下板５２は、樹脂材製に限定されず、板金を加工して形成してもよい。
【００１９】
このように構成された通気構造１０では、隙間Ｄと野地板３０の下側の空間とが、空気流通部材５０を介して通流している。このため、隙間Ｄに溜まった湿気が小屋裏Ｋに抜け、図示しない換気口等から外部に排出される。したがって、湿気によって内壁２０や外壁２１に結露が生じにくい。また、下方に折り曲げられた上板（板材）５１が外壁２１と野地板下面３０ａの隙間を塞ぐため、隙間Ｄへの雨水浸入を防止することができる。空気流通部材５０はハニカム構造となっている。さらに言えば、軸方向を鉛直方向とした円錐台が複数設けられ、その隙間を空気が通流すると共に、上下方向の圧縮力に耐えられるため、野地板３０の荷重が掛かる垂木１３であっても、空気流通部材５０は野地板３０の荷重を十分に支持することができる。
【００２０】
空気流通部材５０は、上述した構成の他、図４に示すように、垂木１３を削ったり、木片を接着・釘止め等して、直接溝部１３ａを形成してものであってもよい。また、図５に示すように、波板５０Ａを用いて空気の流通経路を確保し、上板５１を重ねてもよい。波板５０Ａの形状は、角波、折半形状でもよく、また材質は樹脂でも金属板でもよい。
【００２１】
上述したように、本実施の形態に掛かる通気構造１０によれば、軒の出が無い構造のケラバであっても、簡単な構造で妻壁通気層内の湿気を排出することができると共に、十分な耐荷重が得られる。
【００２２】
図６は、上述した通気構造１０の変形例の要部を示す縦断面図、図７は、この変形例に設けられた別の空気流通部材を示す斜視図である。なお、これらの図において、図１〜３と同一機能部分には同一符号を付し、その詳細な説明は省略する。
【００２３】
通気構造１０に取り付けられた通気部材５０の上部に一体に、かつ、野地板３０の下面３０ａから隙間Ｄの上側まで延設され、下方に折り曲げられた防水上板５３が設けられている。防水上板５３にはさらに外壁２１に突き当たるように防水シーラ５４が取り付けられている。
【００２４】
このように構成されている場合においても、軒の出が無い構造のケラバであっても、簡単な構造で、防水性が向上し、妻壁からの雨水浸入を防ぐことができ、妻壁通気層内の湿気を排出することができると共に、十分な耐荷重が得られる。
【００２５】
図８は本発明の第２の実施の形態に係る通気構造１０Ａを示す縦断面図である。なお、図８において、上述した図１〜３と同一機能部分は同一符号を付し、その詳細な説明は省略する。
【００２６】
図８は屋根断熱構造となっている。各垂木１３の間に断熱材４１が設置されている。野地板３０と断熱材４１との間に通気層Ｅが設けられている。また、各垂木１３と野地板３０との間に空気流通部材５０が配置されている。このように構成されていることで、各垂木１３間の通気層Ｅからその隣の通気層Ｅへも空気流通を促進することができ、隅角部等での空気の滞留を防止できる。
【００２７】
図９は、本発明の通気構造１０Ａの変形例を示す縦断面図である。本変形例においては、妻壁通気層との空気の流通が図られていない部位においても、各垂木１３間の通気層Ｅからその隣の通気層Ｅへも空気流通を促進することができ、隅角部等での空気の滞留を防止できる。
【００２８】
図１０は本発明の第３の実施の形態に係る通気構造６０を示す縦断面図である。通気構造６０は、鉛直方向に立設された柱間７０を備えている。柱間７０には柱間７０に沿って設けられた内壁８０と、この内壁８０に対し外側に隙間Ｇを形成して配置された外壁８１とが設けられている。
【００２９】
柱間７０の上部には後述する空気流通部材９０を介して垂木７１が配置され、さらに、この垂木７１上には笠木７２が配置されている。笠木７２は、さらに、垂木７１を基準として外壁８１の外側まで延出されると共に、隙間Ｇと外部との通気路を形成する延出部７３とを備えている。
【００３０】
柱間７０と垂木７１との間には、隙間Ｇと柱間７０側の空間とを連通する空気通流部材９０が配置されている。空気流通部材９０は、隙間Ｇと柱間７０側の空間とを連通する機能を有している。空気流通部材９０は、軸方向を鉛直方向とした円錐台が複数設けられ、その隙間を空気が通流すると共に、上下方向の圧縮力に耐えられる。さらに、空気通流部材９０の上部に一体に、かつ、垂木７１下面７１ａから隙間Ｇの上側まで延設され、下方に折り曲げられた上板（板材）９１と、空気通流部材９０の下部に一体に、かつ、隙間Ｇまで延設された下板（板材）９２とが設けられている。
【００３１】
このように構成された通気構造６０では、隙間Ｇと柱間７０側の空間とが、空気流通部材９０を介して通流している。このため、隙間Ｈに溜まった湿気が隙間Ｇに抜け、外部に排出される。したがって、湿気によって内壁８０や外壁８１に結露が生じにくい。また、空気流通部材９０は垂木７１及び笠木７２の荷重を十分に支持することができる。
【００３２】
上述したように、本実施の形態に掛かる通気構造６０によれば、柱間という閉ざされた空間構造であっても、簡単な構造で妻壁通気層内の湿気を排出することができると共に、十分な耐荷重が得られる。
【００３３】
なお、本発明は前記実施の形態に限定されるものではなく、この他、本発明の要旨を逸脱しない範囲で種々変形実施可能であるのは勿論である。
【符号の説明】
【００３４】
１０…通気構造、１１…柱、１２…棟木、１３…垂木、１４…登り淀、２０…内壁、２１…外壁、２２…通気胴縁、３０…野地板、３１…水切り部材、５０,５０Ａ…空気流通部材、６０…通気構造、７０…柱、７１…垂木、７２…笠木、７３…延出部、８０…内壁、８１…外壁、９０…空気通流部材、Ｄ…隙間（妻壁通気層）、Ｋ…小屋裏、Ｇ…隙間。
【図１】
2015155635.tif 000003
【図２】
2015155635.tif 000004
【図３】
2015155635.tif 000005
【図４】
2015155635.tif 000006
【図５】
2015155635.tif 000007
【図６】
2015155635.tif 000008
【図７】
2015155635.tif 000009
【図８】
2015155635.tif 000010
【図９】
2015155635.tif 000011
【図１０】
2015155635.tif 000012
【図１１】
2015155635.tif 000013
【図１２】
2015155635.tif 000014